(57)【要約】【課題】装置本体の大型化を抑制できる液体噴射装置を提供する。【解決手段】液体噴射部と、画像読取装置を有し、その外面が上面と上面に隣接して交差する前面と前面及び上面に隣接して交差する側面とを含んで構成される装置本体と、筐体の外部領域に一部が位置するように設けられ、液体噴射部に供給される液体を内部に収容可能であるとともに外部から液体を注入可能とする注入口が設けられた液体収容部と、注入口を露出させない閉位置と注入口を露出させる開位置との間で変位可能なカバー部材と、を備える液体噴射装置であって、カバー部材は、開位置に位置した状態では、装置本体を画像読取装置の上面側から見た場合に装置本体と重合する位置とは異なる位置にあり、液体収容部は、カバー部材が開位置に位置した状態で装置本体を側面側から見た場合に、注入口と接続された液体補充部材の少なくとも一部を画像読取装置に重合させる位置に設けられている。【選択図】図４
2019115999.tif 000002
【特許請求の範囲】
【請求項１】
媒体に対して液体を噴射する液体噴射部と、
少なくとも前記液体噴射部を収容する筐体及び前記筐体の上面に配置される画像読取装置を有し、その外面が上面と前記上面に隣接して交差する前面と前記前面及び前記上面に隣接して交差する側面とを含んで構成される装置本体と、
前記筐体の外部領域に一部が位置するように設けられ、前記液体噴射部に供給される前記液体を内部に収容可能であるとともに外部から前記液体を注入可能とする注入口が設けられた液体収容部と、
前記注入口を露出させない閉位置と前記注入口を露出させる開位置との間で変位可能なカバー部材と、を備える液体噴射装置であって、
前記カバー部材は、前記開位置に位置した状態では、前記装置本体を前記画像読取装置の上面側から見た場合に前記装置本体と重合する位置とは異なる位置にあり、
前記液体収容部は、前記カバー部材が前記開位置に位置した状態で前記装置本体を前記側面側から見た場合に、前記注入口と接続された液体補充部材の少なくとも一部を前記画像読取装置に重合させる位置に設けられていることを特徴とする液体噴射装置。
【請求項２】
前記装置本体には、前記注入口と接続された前記液体補充部材に接触して前記液体補充部材が備える液体供給部を前記注入口に対向させるガイド部が設けられていることを特徴とする請求項１に記載の液体噴射装置。
【請求項３】
前記液体補充部材は円筒状のボトル本体を備え、前記ガイド部は、上面側から見た場合、円弧状の凹部を有することを特徴とする請求項２に記載の液体噴射装置。
【請求項４】
前記装置本体の正面となる前記前面の上部には前記液体噴射装置の操作を行う操作部が設けられ、前記カバー部材が前記開位置に位置した状態で前記装置本体を前記側面側から見た場合に、前記液体収容部は、前記注入口と接続された液体補充部材の少なくとも一部を前記操作部に重合させる位置に設けられていることを特徴とする請求項１〜請求項３のうちいずれか一項に記載の液体噴射装置。
【請求項５】
前記カバー部材は、前記閉位置に位置した状態で前記注入口に接触して前記注入口を閉塞する閉塞部材を備え、前記閉塞部材は、前記カバー部材の取付面に取り付けられた取付部材と一体であり、当該取付部材は、前記カバー部材の前記取付面に設けられた一対の固定部の間にクリアランスを持って固定されており、前記カバー部材は、前記注入口を各々有して前記液体収容部に収容された複数の液体収容体を一体に保持し、かつ前記液体補充部材が差し込まれる差込孔を前記液体収容体に対向して有するキースロットに回動可能に支持されていることを特徴とする請求項１〜請求項４のうちいずれか一項に記載の液体噴射装置。
【請求項６】
前記装置本体の正面となる前記前面には、前記筐体の内部を露出させる開口部が設けられているとともに、前記開口部を閉塞する閉じ状態と前記開口部を開放する開き状態との間で変位可能な前面カバーが回動可能に支持され、前記カバー部材には係合部が設けられ、前記前面カバーには、前記係合部と係合可能な被係合部が設けられ、前記係合部は、前記カバー部材が閉位置から開位置に変位するときに被係合部と係合することを特徴とする請求項１〜請求項５のうちいずれか一項に記載の液体噴射装置。
【発明の詳細な説明】
【技術分野】
【０００１】
本発明は、プリンターなどの液体噴射装置に関する。
【背景技術】
【０００２】
従来から、媒体の一例である用紙に対して液体の一例であるインクを噴射する液体噴射部を備えたインクジェット式のプリンター（液体噴射装置）が知られている。このようなプリンターのなかには、装置本体内に収容された液体噴射部に供給されるインクを収容するインクタンク（液体収容体）を備えるものがある。インクタンクには、インクタンクに収容されるインクが注入口から漏れ出すことを抑制するために、注入口を閉塞する閉塞部材が設けられている。例えば、特許文献１には、インクタンクの注入口を閉塞する閉塞部材を、インクタンクを収容した液体収容部を開閉可能にするカバー部材に取り付けたプリンターが記載されている。
【先行技術文献】
【特許文献】
【０００３】
【特許文献１】特開２０１７−４２９９５号公報
【発明の概要】
【発明が解決しようとする課題】
【０００４】
ところで、特許文献１のプリンターにおいて、装置本体はその上部が画像読取装置で構成されている。そして、液体収容部は装置本体の前面側における左右何れか一方側の隅となる位置に配置され、カバー部材は画像読取装置の下方に配置されている。このため、インクタンクにインクを注入するためには、画像読取装置を回動させて開き位置に位置させた後、カバー部材を開き位置に位置させる必要があり、その作業が面倒である。そこで、画像読取装置を開き位置に位置させなくてもカバー部材を開き位置に位置させることができるように、液体収容部の全体を装置本体の輪郭を形成する前面や側面よりも外側となる装置本体の外部領域に位置させることが考えられるが、このような場合には、装置本体が大型化してしまうという問題があった。
【０００５】
本発明は、こうした実情に鑑みてなされたものであり、その目的は、装置本体の大型化を抑制できる液体噴射装置を提供することにある。
【課題を解決するための手段】
【０００６】
以下、上記課題を解決するための手段及びその作用効果について記載する。
上記課題を解決する液体噴射装置は、媒体に対して液体を噴射する液体噴射部と、少なくとも前記液体噴射部を収容する筐体及び前記筐体の上面に配置される画像読取装置を有し、その外面が上面と前記上面に隣接して交差する前面と前記前面及び前記上面に隣接して交差する側面とを含んで構成される装置本体と、前記筐体の外部領域に一部が位置するように設けられ、前記液体噴射部に供給される前記液体を内部に収容可能であるとともに外部から前記液体を注入可能とする注入口が設けられた液体収容部と、前記注入口を露出させない閉位置と前記注入口を露出させる開位置との間で変位可能なカバー部材と、を備える液体噴射装置であって、前記カバー部材は、前記開位置に位置した状態では、前記装置本体を前記画像読取装置の上面側から見た場合に前記装置本体と重合する位置とは異なる位置にあり、前記液体収容部は、前記カバー部材が前記開位置に位置した状態で前記装置本体を前記側面側から見た場合に、前記注入口と接続された液体補充部材の少なくとも一部を前記画像読取装置に重合させる位置に設けられている。
【０００７】
この構成によれば、液体収容部の一部を筐体の外部領域に位置させることから、液体収容部が筐体の輪郭よりも外側に突出することになる。このような液体噴射装置において、液体収容部の注入口と液体補充部材とを接続したとき、液体補充部材の少なくとも一部が装置本体を側面側から見た場合に画像読取装置に重合していると、重合していない場合と比べて、筐体からの液体収容部の突出量を少なくでき、この点で、装置本体の大型化を抑制できる。
【０００８】
上記液体噴射装置において、前記装置本体には、前記注入口と接続された前記液体補充部材に接触して前記液体補充部材が備える液体供給部を前記注入口に対向させるガイド部が設けられていることが好ましい。
【０００９】
この構成によれば、液体収容部の注入口と液体補充部材の液体供給部とを接続する際、液体補充部材をガイド部に接触させると、液体補充部材の液体供給部を液体収容部の注入口に対向させることができ、液体補充部材の液体供給部を液体収容部の注入口に接続する作業が行いやすくなる。
【００１０】
上記液体噴射装置において、前記液体補充部材は円筒状のボトル本体を備え、前記ガイド部は、上面側から見た場合、円弧状の凹部を有することが好ましい。
この構成によれば、ガイド部の凹部にボトル本体の外周面を沿わせることにより、液体補充部材の液体供給部を液体収容部の注入口に接続する作業が行いやすくなる。
【００１１】
上記液体噴射装置において、前記装置本体の正面となる前記前面の上部には前記液体噴射装置の操作を行う操作部が設けられ、前記カバー部材が前記開位置に位置した状態で前記装置本体を前記側面側から見た場合に、前記液体収容部は、前記注入口と接続された液体補充部材の少なくとも一部を前記操作部に重合させる位置に設けられていることが好ましい。
【００１２】
この構成によれば、操作部を設けるための領域を、筐体からの液体収容部の突出量を少なくするために利用できる。
上記液体噴射装置において、前記カバー部材は、前記閉位置に位置した状態で前記注入口に接触して前記注入口を閉塞する閉塞部材を備え、前記閉塞部材は、前記カバー部材の取付面に取り付けられた取付部材と一体であり、当該取付部材は、前記カバー部材の前記取付面に設けられた一対の固定部の間にクリアランスを持って固定されており、前記カバー部材は、前記注入口を各々有して前記液体収容部に収容された複数の液体収容体を一体に保持し、かつ前記液体補充部材が差し込まれる差込孔を前記液体収容体に対向して有するキースロットに回動可能に支持されていることが好ましい。
【００１３】
この構成によれば、キースロットは、注入口を有する複数の液体収容体を一体に保持し、液体収容体の注入口に液体補充部材を接続する際に液体補充部材が差し込まれる差込孔を備える部材である。すなわち、キースロットは、液体収容体の注入口の位置を決める部材である。この注入口の位置を決めるキースロットにカバー部材を回動可能に支持させたため、カバー部材を開位置から閉位置に変位させたとき、カバー部材に一体の閉塞部材を注入口に接触させやすくなる。また、閉塞部材が一体化された取付部材は、固定部の間にクリアランスを持っているため、クリアランスを利用して閉塞部材の位置を注入口に合わせることができる。
【００１４】
上記液体噴射装置において、前記装置本体の正面となる前記前面には、前記筐体の内部を露出させる開口部が設けられているとともに、前記開口部を閉塞する閉じ状態と前記開口部を開放する開き状態との間で変位可能な前面カバーが回動可能に支持され、前記カバー部材には係合部が設けられ、前記前面カバーには、前記係合部と係合可能な被係合部が設けられ、前記係合部は、前記カバー部材が閉位置から開位置に変位するときに被係合部と係合することが好ましい。
【００１５】
この構成によれば、カバー部材を閉位置から開位置に変位させるのに合わせて係合部が被係合部に係合することで前面カバーを閉じ状態から開き状態に変位させることができる。
【図面の簡単な説明】
【００１６】
【図１】一実施形態の液体噴射装置を示す斜視図。
【図２】原稿カバーが開き状態とされた液体噴射装置を示す斜視図。
【図３】前面カバー及びカバー部材が開き状態とされた液体噴射装置を示す斜視図。
【図４】カバー部材が開位置とされた状態の液体収容部を示す斜視図。
【図５】カバー部材が開位置とされた状態の液体噴射装置を示す部分破断側面図。
【図６】カバー部材が閉位置とされた状態の液体収容部を示す拡大断面図。
【図７】カバー部材が開位置とされた状態の液体収容部を示す部分斜視図。
【図８】前面カバーが開き状態とされた状態の液体噴射装置を示す正面図。
【図９】原稿読取装置をガラス側から示す下面図。
【図１０】白基準板の第１端部を示す拡大斜視図。
【図１１】白基準板の第２端部を示す拡大斜視図。
【発明を実施するための形態】
【００１７】
以下、液体噴射装置の一実施形態を図面に従って説明する。
図１に示すように、本実施形態の液体噴射装置１０は、例えば用紙等の媒体Ｐに液体の一例であるインクを噴射して記録を行うインクジェット式プリンターであり、水平な使用場所に設置された状態で、高さ、奥行及び幅としてそれぞれ所定の長さを有する略直方体状の装置本体１２を備えている。図１では、液体噴射装置１０が水平面上に置かれているものとして、鉛直方向をＺ軸で示し、鉛直方向に対して垂直な水平面に沿う方向をＸ軸及びＹ軸で示す。以下の説明では、Ｘ軸に沿う方向を幅方向、Ｙ軸に沿う方向を奥行方向ともいい、幅方向、奥行方向及び鉛直方向は、相互に交差（好ましくは直交）する。
【００１８】
図１及び図２に示すように、装置本体１２は、略直方体状の筐体１３と、筐体１３の上面に配置される画像読取装置としての原稿読取装置１４とを備えている。原稿読取装置１４は、読取用の原稿が載置される透明なガラスＧからなる水平な原稿載置面１５ａを含む原稿台１５と、その原稿載置面１５ａを覆うことが可能な原稿カバー１６とを備えている。原稿カバー１６は、原稿載置面１５ａを上方から覆う閉じ状態（図１の状態）と、その閉じ状態から開いて原稿載置面１５ａの上方域を開放する開き状態（図２の状態）との間で、幅方向に沿うＸ軸を回動中心にして開閉動作可能に設けられている。この場合、原稿読取装置１４の原稿載置面１５ａは、装置本体１２が有する複数（この場合は６つ）の外面のうち鉛直方向の上側を向いた上面を構成する。また、装置本体１２は、上面に隣接して交差する前面１７と、原稿載置面１５ａ及び前面１７に隣接して交差し、幅方向の両側に位置する外面に側面１１を有する。装置本体１２の前面１７から奥に向かう方向が奥行方向となる。
【００１９】
装置本体１２の正面となる前面１７の下部には、内部から媒体Ｐを排出するための排出口１８が設けられている。排出口１８の内部には、筐体１３内から奥行方向の手前側に向けて排出される媒体Ｐを載置状態にして支持するためのスタッカー１９が設けられている。また、装置本体１２の前面１７上部には液体噴射装置１０の操作を行う操作部２０が設けられている。操作部２０は、幅方向が長手方向となる横長のパネルであり、液体噴射装置１０をオン又はオフする際に操作される電源ボタン２１や各種の操作情報を入力する際に操作される操作ボタン２２が設けられている。
【００２０】
図３に示すように、装置本体１２の前面１７のうち、鉛直方向において排出口１８と操作部２０との間となる位置には、幅方向の長さが排出口１８と略同じの矩形状をなし、筐体１３の内部を露出させる開口部２３が設けられている。そして、装置本体１２の前面１７には、正面形状が開口部２３と略同一の矩形の前面カバー２４が、開口部２３を閉塞する閉じ状態（図１の状態）と開口部２３を開放する開き状態（図３の状態）との間でＸ軸を回動中心にして変位可能に設けられている。前面カバー２４が開き状態とされた場合、ユーザーは、メンテナンス等のために、開口部２３を介して筐体１３内に手を差し入れることが可能となる。前面カバー２４において、開き状態で外部に露出する裏面２４ａの平面部には、後述する液体収容体３０への液体注入時の注意書きラベル２４ｂが貼着されている。前面カバー２４は、その下端部を回動支点として、上端部が前方側に回動することにより、図１に示す閉じ状態から図３に示す開き状態へと変位するように構成されている。
【００２１】
図１及び図３に示すように、装置本体１２の前面１７のうち幅方向で前面カバー２４と隣り合う位置には、インク等の液体を収容可能なタンク形態の液体収容部２５が設けられている。液体噴射装置１０を正面から見た場合に前面カバー２４に対して幅方向の一方側（図１及び図３においては右側）で隣り合う位置に、液体収容部２５は設けられている。液体収容部２５は、その一部が装置本体１２の前面１７における前面カバー２４よりも奥行方向の手前側である前方側に突出するように設けられている。すなわち、液体収容部２５は、装置本体１２を構成する筐体１３の外部領域に一部が位置するように設けられている。
【００２２】
液体収容部２５の上方には、液体収容部２５の上部を露出させる開位置（図３参照）と、液体収容部２５の上部を露出させない閉位置（図１参照）との二位置との間で変位可能なカバー部材２６が設けられている。このカバー部材２６については、後に詳述する。
【００２３】
図３及び図４に示すように、カバー部材２６が開位置にある状態において、原稿読取装置１４の前面のうち、幅方向で前面カバー２４と隣り合う位置であって液体収容部２５の上方となる位置には、ガイド部２９が設けられている。ガイド部２９は、装置本体１２の前面１７よりも奥行方向の奥側である後方側に後退した位置にある。ガイド部２９は、凹部２９ａを幅方向に複数（本実施形態では４つ）備える。液体噴射装置１０を装置本体１２の上面側から見た場合に、凹部２９ａは奥行方向の奥側へ円弧状に凹むように設けられている。また、液体噴射装置１０を液体収容部２５が位置する側面１１側から見た場合、ガイド部２９は操作部２０に重合した位置に設けられている。すなわち、ガイド部２９は、装置本体１２の前面１７より前方側へ突出していない。
【００２４】
図５に示すように、液体収容部２５には、複数（本実施形態では４つ）の液体収容体３０が収容されている。液体収容体３０は、後述の液体噴射ヘッド４９に供給される液体としてのインクを内部に収容可能であるとともに外部からインクを注入可能とする注入口３０ａを有する所謂インクタンクとして構成されている。よって、液体収容体３０を収容した液体収容部２５は、液体噴射ヘッド４９に供給される液体としてのインクを内部に収容可能であるとともに外部からインクを注入可能とする注入口３０ａを有する。液体収容体３０には、それぞれ異なる種類（例えば、シアン、マゼンタ、イエロー、ブラックなどの色や、顔料や染料などの着色剤）のインクが収容される。液体収容体３０の注入口３０ａは、液体収容体３０の上面３０ｂから上方に向かって突出するように略円筒状に形成されている。
【００２５】
図４に示すように、液体収容部２５に収容された複数の液体収容体３０は、有蓋四角筒状のキースロット３２によって一体に保持されている。カバー部材２６が開位置にある状態では、キースロット３２の上面３２ａは液体収容部２５の上面を構成している。キースロット３２により、複数の液体収容体３０が一体に保持されている。キースロット３２の上面３２ａには、複数（本実施形態では４つ）の差込孔３３が幅方向に並んで設けられている。差込孔３３は、液体噴射装置１０を上面側から見た場合に円形状の第１凹部３３ａと、第１凹部３３ａに繋がり、第１凹部３３ａから互いに相反する方向に延びる略矩形の一対の第２凹部３３ｂと、を有する。第１凹部３３ａには、キースロット３２に保持された液体収容体３０の注入口３０ａが挿通されている。また、キースロット３２に保持された複数の液体収容体３０の注入口３０ａの上方にはガイド部２９の凹部２９ａが一つずつ対応するように設けられている。
【００２６】
そして、液体収容体３０にインクを補充するために、液体収容体３０にインクを注入する場合には、液体補充部材４５が差込孔３３に差し込まれる。この液体補充部材４５は、有底円筒状のボトル本体４５ａと、ボトル本体４５ａの先端に設けられて差込孔３３と同じ形状の液体供給部４５ｂとを備える。ボトル本体４５ａの外周面に沿う円弧の曲率は、ガイド部２９における凹部２９ａの円弧の曲率と略同じであり、ガイド部２９は、ボトル本体４５ａの外周面に沿う円弧状の凹部２９ａを有することになる。そのため、差込孔３３に液体補充部材４５の液体供給部４５ｂを差し込み、液体収容体３０の注入口３０ａを液体供給部４５ｂに差し込んだとき、ガイド部２９の凹部２９ａにボトル本体４５ａの外周面が対向する。
【００２７】
図４及び図５に示すように、液体収容部２５の差込孔３３に液体補充部材４５の液体供給部４５ｂを差し込み、その液体供給部４５ｂに注入口３０ａを差し込んだ状態において、液体噴射装置１０を液体収容部２５が位置する側面１１側から見た場合、ボトル本体４５ａにおけるガイド部２９側の一部が、原稿読取装置１４及び操作部２０と重合している。つまり、ボトル本体４５ａの一部が装置本体１２の前面１７よりも奥に後退した位置にある。したがって、液体収容部２５は、カバー部材２６が開位置に位置した状態で装置本体１２を側面１１側から見た場合に、注入口３０ａと接続された液体補充部材４５のガイド部２９側の一部と原稿読取装置１４及び操作部２０とを重合させる位置に設けられている。
【００２８】
次に、前述のカバー部材２６について説明する。カバー部材２６は、液体収容体３０の注入口３０ａを露出させない閉位置（図１参照）と注入口３０ａを露出させる開位置（図３参照）との間で変位可能である。図６に示すように、カバー部材２６は、液体収容部２５の上方であって、キースロット３２を上方から覆うことが可能な位置に設けられている。カバー部材２６は、閉位置に位置する状態において液体収容部２５の前面と面一になって液体噴射装置１０の外装の一部を構成する外装面２６ａを有している。そして、そのカバー部材２６が閉位置に位置する状態においてキースロット３２の上部に露出した注入口３０ａと対向するカバー部材２６の一面には、注入口３０ａに対して接触することで注入口３０ａを閉塞する閉塞部材２８が取り付けられている。すなわち、注入口３０ａと対向しているカバー部材２６の一面は、閉塞部材２８が取り付けられる取付面２６ｂとなっている。
【００２９】
図７に示すように、閉塞部材２８は、カバー部材２６の取付面２６ｂに取り付けられた取付部材３４に一体化されている。取付部材３４はＬ形の板部材であり、取付面２６ｂと対向している板部３４ａには、補強用のリブ３４ｂが形成されている。板部３４ａにおいて、取付部材３４のＬ字の屈曲部側には四角孔状の窪み部３５が一対形成されている。各窪み部３５の内縁部のうち、閉塞部材２８寄りの一縁部には、窪み部３５内に向けて突出する係止爪３６が設けられている。取付部材３４の各窪み部３５には、取付面２６ｂから突出している第１固定部３７が挿入されている。各第１固定部３７の先端には四角孔状の係止孔３７ａが設けられ、この係止孔３７ａの内周縁に係止爪３６が係止している。第１固定部３７は、一対の固定部のうちの一方の固定部を構成する。
【００３０】
また、取付部材３４の板部３４ａにおいて、窪み部３５が形成された縁部の対辺となる縁部には、取付面２６ｂから突出している第２固定部３８の先端に設けられた係止突起３８ａが係止している。第２固定部３８は、一対の固定部のうちの他方の固定部を構成し、第１固定部３７と第２固定部３８により、一対の固定部が構成されている。窪み部３５に形成された係止爪３６と第１固定部３７の係止孔３７ａとの係止、及び板部３４ａの縁部と第２固定部３８の係止突起３８ａとの係止により、カバー部材２６に取付部材３４が固定されている。
【００３１】
カバー部材２６が開位置に位置する状態において、第２固定部３８は第１固定部３７より下方に位置し、その下方に位置した第２固定部３８によって取付部材３４が下方から支持されている。取付部材３４が第２固定部３８によって下方から支持された状態では、第１固定部３７と窪み部３５の縁部との間にはクリアランスＳが形成され、このクリアランスＳの分だけ、取付部材３４は第１固定部３７と第２固定部３８の間での移動が許容されている。
【００３２】
取付部材３４に取り付けられた閉塞部材２８は、液体収容部２５に収容される液体収容体３０の数に応じて複数（本実施形態では４つ）設けられている。すなわち、閉塞部材２８は、注入口３０ａの数に対応してカバー部材２６に複数設けられ、一の閉塞部材２８が一の注入口３０ａをそれぞれ閉塞する構成である。取付部材３４に取り付けられる閉塞部材２８は、略円筒状をなし、弾性変形可能な弾性部材（例えば、ゴム等のエラストマー）で構成されている。また、閉塞部材２８は、取付部材３４に対して着脱可能に設けられている。
【００３３】
カバー部材２６における外装面２６ａを幅方向から挟む側面のうち取付面２６ｂ寄りとなる位置には、カバー部材２６の外に向かって円弧状に突出する軸受２７が形成されている。また、キースロット３２における幅方向の両側面のうち前面側となる位置には、幅方向に沿って延びる円柱状の軸３２ｂが形成されている。
【００３４】
そして、カバー部材２６の軸受２７は、キースロット３２の軸３２ｂを回転可能に支持することで、軸３２ｂを中心にカバー部材２６をキースロット３２に対して回動可能に支持している。カバー部材２６が装置本体１２の前方に向けて回動することで、カバー部材２６は閉位置から開位置に変位する。言い換えると、カバー部材２６は、その前端側の下部を回動支点として後端部が前方側に回動することにより、図１に示す閉位置から図３に示す開位置へと変位するように構成されている。
【００３５】
カバー部材２６の開位置は、装置本体１２を原稿読取装置１４の上面側から見た場合に装置本体１２と重合する位置とは異なる位置、すなわち、装置本体１２よりも前方にあり、カバー部材２６は、装置本体１２の前面１７よりも前方に位置させられる。
【００３６】
また、カバー部材２６における外装面２６ａを幅方向から挟む側面のうち、前面カバー２４側の側面には、カバー部材２６から幅方向に沿って延びる係合部３９が形成されている。この係合部３９は、カバー部材２６が閉位置にある状態では鉛直方向に直線状に延びている。また、図６に示すように、カバー部材２６が閉位置に位置し、かつ前面カバー２４が閉じ状態にある状態において、係合部３９は、前面カバー２４の裏面２４ａと奥行方向において係合している。そして、閉位置に位置するカバー部材２６を開位置に変位させると、係合部３９が前面カバー２４の裏面２４ａに係合する。よって、本実施形態では、前面カバー２４の裏面２４ａが係合部３９が係合する被係合部を構成する。そして、カバー部材２６を閉位置から開位置に変位させるのに合わせて係合部３９が前面カバー２４の裏面２４ａに係合することで前面カバー２４を閉じ状態から開き状態に変位させることができる。
【００３７】
図５に示すように、筐体１３の内部には、シャフト状のガイド軸４７が幅方向に延びるように架設されており、そのガイド軸４７にはキャリッジ４８がＸ軸に沿う幅方向へ往復移動自在に支持されている。キャリッジ４８の下面側には、搬送される媒体Ｐに向けて液体を噴射することで媒体Ｐに記録を行う液体噴射部の一例である液体噴射ヘッド４９が取り付けられており、液体噴射ヘッド４９は筐体１３に収容されている。
【００３８】
図８において、キャリッジ４８と各液体収容体３０は図示しないが、それらキャリッジ４８と液体収容体３０とはチューブ５０により接続され、液体収容体３０からチューブ５０を介してキャリッジ４８にインク（液体）が供給される。複数（本実施形態では４本）のチューブ５０は、筐体１３における開口部２３よりも奥側において幅方向へ延びるように配設されている。複数のチューブ５０は、一端が各液体収容体３０に接続され、他端がキャリッジ４８に接続されている。キャリッジ４８が幅方向における液体収容部２５側に位置する状態では、複数のチューブ５０は、液体噴射装置１０を前面から見た場合にＵ字状に曲げられた状態にある。複数のチューブ５０のうち、Ｕ字の下側にある部分における液体収容部２５側は、チューブ押さえ５１により、筐体１３に固定されている。チューブ押さえ５１は、開口部２３の正面視において、液体収容部２５に最も近付けた位置に配置されている。その一方で、複数のチューブ５０において、チューブ押さえ５１よりもキャリッジ４８側はチューブ押さえ５１による筐体１３への押し付けがなく、図８に２点鎖線で示すように自由に変形させることができる状態である。
【００３９】
そして、前面カバー２４が開き状態とされ、装置本体１２の筐体１３内が開口部２３を介して視認可能となった状態で、ユーザーが筐体１３内に手を差し入れたとき、複数のチューブ５０をチューブ押さえ５１よりもキャリッジ４８側で変位させることができる。このため、チューブ５０が邪魔にならずに、シワ状になって詰まっている媒体Ｐを開口部２３から手を差し入れて取り除くことができる。
【００４０】
図９に示すように、原稿読取装置１４の原稿台１５は四角枠状である。原稿台１５の表面にガラスＧの表面が露出して原稿載置面１５ａが形成されている。一方、原稿台１５の裏面において、キャリッジ４８のＸ軸方向への移動経路上で図示しない読取部が読取り可能な位置には反射率の高い均一な反射面を有する白基準板５５が配置されている。白基準板５５は、シェーディング補正に用いる白基準データを取得する際の読取対象とされる。
【００４１】
白基準板５５は、原稿の読取動作（スキャン動作）を行うに当たり、白基準読取り実施条件の成立時に読み取られるものである。白基準板５５は、幅方向において原稿台１５の内縁から外縁に向けて延出するガラスＧ（図９では他の部材との識別を容易とするためハッチングを付している）の端部の上面に配置されている。白基準板５５は、装置本体１２の奥行方向に長手が延びる矩形板状である。
【００４２】
図１０に示すように、白基準板５５における装置本体１２の前面側に位置する第１端部５６は、ガラスＧよりも装置本体１２の前面１７側へ突出している。ガラスＧの端部よりも前面１７側へ突出した第１端部５６には嵌合孔５６ａが形成されている。この嵌合孔５６ａには、原稿台１５から筐体１３に向けて突出した嵌合突起１５ｂが嵌合されている。
【００４３】
図１１に示すように、白基準板５５における装置本体１２の後面側に位置する第２端部５７は、ガラスＧの端面と略同じ位置にある。第２端部５７からは原稿台１５に向けて突出した係合突起５７ａが形成されている。この係合突起５７ａは、原稿台１５におけるガラスＧの端面よりも外側となる位置に形成された係合孔１５ｃに圧入されている。そして、嵌合孔５６ａと嵌合突起１５ｂの嵌合と、係合突起５７ａと係合孔１５ｃとの圧入により、白基準板５５が原稿台１５に組付けられている。
【００４４】
このように白基準板５５を原稿台１５に組付けることで、白基準板５５を原稿台１５に組付けるために原稿台１５に形成される孔は係合孔１５ｃのみとなる。例えば、白基準板５５の第１端部５６及び第２端部５７それぞれに係合突起５７ａを設け、係合突起５７ａそれぞれに対応するように原稿台１５に係合孔１５ｃを設ける場合と比べると、原稿台１５に形成される孔が１つ減る。このため、原稿台１５の裏面側から原稿読取装置１４内にゴミが侵入する虞を低減できる。
【００４５】
次に、上記のように構成された本実施形態の液体噴射装置１０の作用について説明する。
さて、液体噴射装置１０の液体収容部２５に液体補充部材４５を用いてインクを補充する際には、先ず、閉位置に位置するカバー部材２６を開位置に変位させる。カバー部材２６を開位置に変位させる際には、カバー部材２６の外装面２６ａを前方に向かって押し下げることで、カバー部材２６は、軸３２ｂ（軸受２７）を中心に回動し、キースロット３２の上面から液体収容体３０の注入口３０ａが露出する。
【００４６】
このとき、図５に示すように、カバー部材２６が開位置に変位することに伴い、注入口３０ａに接触していた閉塞部材２８が注入口３０ａから離間し、注入口３０ａが開放される。すなわち、カバー部材２６を開ける動作一つで、液体収容体３０の注入口３０ａを覆うカバー部材２６と、注入口３０ａを閉塞する閉塞部材２８とが共に注入口３０ａから離間し、注入口３０ａが開放され、液体収容体３０内にインクを注入可能となる。
【００４７】
また、カバー部材２６を閉位置から開位置に変位させるのに合わせて、カバー部材２６に一体の係合部３９が前面カバー２４の裏面２４ａを押圧して、図３に示すように、前面カバー２４を閉じ状態から開き状態に変位させる。すると、開き状態とされた前面カバー２４において、外部に露出する裏面２４ａの平面部から注意書きラベル２４ｂが露出し、ユーザーに対し、液体収容体３０へのインク補充時の注意が促される。
【００４８】
そして、カバー部材２６は、その前端側の下部を回動支点として後端部が前方側に回動する。装置本体１２を上面側から見た場合、開位置にある状態のカバー部材２６は、装置本体１２の前面１７よりも前方に位置している。
【００４９】
このような状態で、図４に示すように、液体収容体３０の注入口３０ａを液体補充部材４５の液体供給部４５ｂに差し込む。具体的には、液体収容部２５において液体補充部材４５からインクが補充される液体収容体３０に対応したガイド部２９の凹部２９ａに、液体補充部材４５のボトル本体４５ａの外周面を沿わせる。すると、その液体補充部材４５の液体供給部４５ｂの真下に、インクを補充する液体収容体３０の注入口３０ａが対向することとなる。そして、凹部２９ａに液体補充部材４５を接触させたまま、液体補充部材４５を液体収容部２５に向けて移動させると、液体供給部４５ｂが差込孔３３に差し込まれるとともに、液体供給部４５ｂに注入口３０ａが差し込まれる。
【００５０】
そして、液体収容体３０へのインクの注入が完了した際には、インクの乾燥や空気中の塵埃が注入口３０ａを介して液体収容体３０内のインクに混入することを抑制するため、注入口３０ａを閉塞部材２８で閉塞し、閉塞された注入口３０ａをカバー部材２６で覆う。
【００５１】
図６に示すように、カバー部材２６を開位置から閉位置に変位させると、カバー部材２６を閉じる動作一つで、カバー部材２６が注入口３０ａを覆うとともに閉塞部材２８が注入口３０ａに接触し、注入口３０ａが閉塞される。したがって、液体噴射装置１０は、液体収容体３０の注入口３０ａを覆うカバー部材２６の開閉動作に連動して、閉塞部材２８による注入口３０ａの開放及び閉塞が行われる。
【００５２】
なお、閉塞部材２８が取り付けられた取付部材３４は、クリアランスＳの分だけ第１固定部３７と第２固定部３８の間で移動可能である。カバー部材２６を開位置から閉位置に変位する際、そのカバー部材２６が回動する方向に第１固定部３７と第２固定部３８が並んでいることから、第１固定部３７と第２固定部３８の間で、取付部材３４はカバー部材２６が回動する方向へ変位可能である。このため、注入口３０ａに対し、閉塞部材２８の位置が若干ずれていたとしても、注入口３０ａに閉塞部材２８が接触した際の取付部材３４の若干の移動によって、注入口３０ａに対する閉塞部材２８のずれが吸収され、注入口３０ａを閉塞部材２８によって閉塞できる。
【００５３】
以上、説明した実施形態によれば以下の効果を得ることができる。
（１）液体噴射装置１０において、液体収容部２５の一部を筐体１３の外部領域に位置させることから、液体収容部２５が筐体１３の輪郭より外側に突出することになる。このような液体噴射装置１０において、液体収容部２５の注入口３０ａと液体補充部材４５とを接続したとき、液体補充部材４５の一部が装置本体１２を側面１１側から見た場合に原稿読取装置１４に重合していると、重合していない場合と比べて、筐体１３からの液体収容部２５の突出量を少なくでき、この点で、装置本体１２の大型化を抑制できる。
【００５４】
（２）液体収容部２５の注入口３０ａと液体補充部材４５の液体供給部４５ｂとを接続する際、液体補充部材４５をガイド部２９に接触させると、液体補充部材４５の液体供給部４５ｂを液体収容部２５の注入口３０ａに対向させることができる。その結果として、液体補充部材４５の液体供給部４５ｂを液体収容部２５の注入口３０ａに接続する作業が行いやすくなる。
【００５５】
（３）ガイド部２９の凹部２９ａにボトル本体４５ａの外周面を沿わせることにより、液体補充部材４５の液体供給部４５ｂを液体収容部２５の注入口３０ａに接続する作業が行いやすくなる。
【００５６】
（４）液体収容部２５は、注入口３０ａと接続された液体補充部材４５の一部と操作部２０とを重合させる位置に設けられている。これによれば、操作部２０を設けるための領域を、筐体１３からの液体収容部２５の突出量を少なくするために利用できる。
【００５７】
（５）注入口３０ａの位置を決めるキースロット３２にカバー部材２６を回動可能に支持させた。そのため、カバー部材２６を開位置から閉位置に変位させたとき、カバー部材２６に一体の閉塞部材２８を注入口３０ａに接触させやすくなる。
【００５８】
（６）閉塞部材２８が一体化された取付部材３４は、第１固定部３７と第２固定部３８の間にクリアランスＳを持っているため、クリアランスＳを利用して閉塞部材２８の位置を注入口３０ａに合わせることができる。
【００５９】
（７）カバー部材２６を閉位置から開位置に変位させるのに合わせて係合部３９が前面カバー２４の裏面２４ａに係合することで前面カバー２４を閉じ状態から開き状態に変位させることができる。
【００６０】
なお、上記実施形態は以下のように変更してもよい。また、以下の各変形例について組み合わせ可能なものを適宜組み合わせて更なる変形例としてもよい。
・上記実施形態において、カバー部材２６は、閉塞部材２８を注入口３０ａに接触させる閉位置から装置本体１２の側面１１に向けて回動させることで開閉可能な構成でもよい。
【００６１】
・カバー部材２６は液体収容部２５に対し上下にスライドさせることで開位置と閉位置の二位置間を変位可能な構成でもよい。
・上記実施形態において、カバー部材２６に取り付けられる閉塞部材２８は、複数の注入口３０ａを一括して閉塞可能な一の閉塞部材２８で構成されていてもよい。
【００６２】
・液体収容体３０の数に応じて、カバー部材２６が複数設けられていてもよい。
・液体収容体３０は、装置本体１２の側面１１から突出するように設けられていてもよい。
【００６３】
・閉塞部材２８は、注入口３０ａに対して挿入されることで閉塞するような部材であってもよい。
・カバー部材２６に軸、キースロット３２に軸受を形成することでカバー部材２６が回動可能に設けられる構成であってもよい。
【００６４】
・カバー部材２６を回動可能に支持する軸は、キースロット３２ではなく、液体収容部２５の側面から延びるように突出しており、カバー部材２６を、キースロット３２ではなく、液体収容部２５に回動可能に支持させてもよい。
【００６５】
・装置本体１２が備える液体収容体３０は、４つに限らず、１つ、２つ又は３つ設ける構成であっても、５つ以上設ける構成であってもよい。この場合、設けられる液体収容体３０の数に合わせてガイド部２９の凹部２９ａの数が決まる。
【００６６】
・液体収容部２５そのものが１つの液体収容体を構成してもよい。
・装置本体１２にガイド部２９は無くてもよい。
・ガイド部２９の凹部２９ａは円弧状でなく、角形状であってもよく、凹部２９ａの形状は実施形態に限定されない。
【００６７】
・前面カバー２４の裏面２４ａに貼り付けられた注意書きラベル２４ｂはなくてもよい。
・カバー部材２６の係合部３９は無くてもよい。
【００６８】
・カバー部材２６の第１固定部３７、第２固定部３８及び取付部材３４は無くてもよく、この場合、閉塞部材２８は、カバー部材２６の取付面２６ｂに直接取り付けられる。
・第１固定部３７は２本ではなく１本であってもよく、この場合、１本の第１固定部３７と１本の第２固定部３８で一対の固定部が構成される。
【００６９】
・媒体Ｐは、用紙に限らずプラスチックフィルムなどであってもよい。
・液体噴射装置１０は、液体噴射部としてキャリッジ４８に支持された液体噴射ヘッド４９が、キャリッジ４８とともに筐体１３内に架設された幅方向に延びるガイド軸４７に沿って往復移動する構成の他に、液体噴射ヘッド４９は移動せず幅方向の全域に渡ってノズルが形成された所謂ラインヘッドタイプの構成のプリンターであってもよい。あるいは、レーザープリンターであってもよい。
【符号の説明】
【００７０】
Ｐ…媒体、Ｓ…クリアランス、１０…液体噴射装置、１１…側面、１２…装置本体、１３…筐体、１４…原稿読取装置（画像読取装置）、１５ａ…原稿載置面（上面）、１６…原稿カバー、１７…前面、２０…操作部、２３…開口部、２４…前面カバー、２４ａ…裏面（被係合部）、２５…液体収容部、２６…カバー部材、２６ａ…外装面、２６ｂ…取付面、２７…軸受、２８…閉塞部材、２９…ガイド部、２９ａ…凹部、３０…液体収容体、３０ａ…注入口、３２…キースロット、３２ａ…上面、３２ｂ…軸、３３…差込孔、３３ａ…第１凹部、３３ｂ…第２凹部、３４…取付部材、３７…第１固定部（固定部）、３８…第２固定部（固定部）、３９…係合部、４５…液体補充部材、４５ａ…ボトル本体、４５ｂ…液体供給部、４９…液体噴射ヘッド（液体噴射部）。
【図１】
2019115999.tif 000003
【図２】
2019115999.tif 000004
【図３】
2019115999.tif 000005
【図４】
2019115999.tif 000006
【図５】
2019115999.tif 000007
【図６】
2019115999.tif 000008
【図７】
2019115999.tif 000009
【図８】
2019115999.tif 000010
【図９】
2019115999.tif 000011
【図１０】
2019115999.tif 000012
【図１１】
2019115999.tif 000013